(57)【特許請求の範囲】
【請求項１】
後部から前部に観測者の方に向かって、有機発光ダイオードを用いるマルチカラーバックライトユニットと、画素によるバックライティングの切り換えのための電気光学スイッチングアレイとを有し、該バックライトユニットは、互いに平行である異なるベース色の少なくとも３つの隣接照明ラインのグループの周期的パターンを有する表面である、カラーディスプレイ装置であって、
前記スイッチングアレイの前記画素及び前記バックライトユニットの前記照明ラインは実質的に、何れの所与の画素も対応するベース色のみの前方透過を制御することが可能であるようにアライメントされ、且つ
前記前部の方に方向付けられ且つ対応するベース色のためのスイッチングアレイを通る実質的に平行なエッジを有する光ビームを形成するように、前記バックライトユニット上に各照明ラインに沿ってシリンドリカルレンズが備えられ、該シリンドリカルレンズは前記照明ラインの長さに実質的に等しい長さを有し、
前記有機発光ダイオードは、前記前部の方に、生成された前記光が透過する第１種類の透過性又は半透過性電極と、前記後部の方に、第２種類の電極と、を有し、それらの種類の電極は陽極及び陰極に対応し、
各ベース色に対し、ライン電極と呼ばれる、同じベース色の前記照明ラインの２つの前記種類のうちの一方の種類の電極は共に接続され、且つ対応するベース色のための少なくとも１つの色制御接続に接続され、全ての照明ラインの他方の種類の電極は、共に接続されて共通電極を構成し、且つ少なくとも１つの共通制御接続に接続されている、
ことを特徴とするカラーディスプレイ装置。
【請求項２】
請求項１に記載のカラーディスプレイ装置であって、当該カラーディスプレイ装置は、ベース色当たり少なくとも一対の色制御接続を有し、前記対の第１接続は対応するベース色の前記ライン電極の第１端部の方へのものであり、前記対の第２接続は対応するベース色の同じ前記ライン電極の第２端部の方へのものであり、前記第２端部は前記照明ラインに沿って前記第１端部の反対側であり、同じ前記ベース色の前記ライン電極は前記照明ラインの２つの前記端部の各々において共に接続されている、ことを特徴とするカラーディスプレイ装置。
【請求項３】
請求項１又は２に記載のカラーディスプレイ装置であって、前記電気光学スイッチングアレイは、前記前部及び前記観測者の方に、実質的に平面的な分散要素を有し、そして、前記分散要素及び実質的に平面的である前記バックライトユニットの前記照明ラインを有する前記表面は、前記レンズを介して光学的に結合される、ことを特徴とするカラーディスプレイ装置。
【請求項４】
請求項１乃至３の何れか一項に記載のカラーディスプレイ装置であって、前記シリンドリカルレンズは、一の照明ラインからの照明が他の照明ラインの画素と干渉しないように、光分離器により前記シリンドリカルレンズの長手方向に沿って、横方向に互いから分離されている、ことを特徴とするカラーディスプレイ装置。
【請求項５】
請求項１乃至４の何れか一項に記載のカラーディスプレイ装置であって、前記シリンドリカルレンズは前記電気光学スイッチングアレイに直接、備えられている、ことを特徴とするカラーディスプレイ装置。
【請求項６】
請求項１乃至４の何れか一項に記載のカラーディスプレイ装置であって、前記シリンドリカルレンズは前記電気光学スイッチングアレイから空気の空間により分離されている、ことを特徴とするカラーディスプレイ装置。
【請求項７】
請求項１乃至６の何れか一項に記載のカラーディスプレイ装置であって、前記電気光学スイッチングアレイはアクティブマトリクスである、ことを特徴とするカラーディスプレイ装置。
【請求項８】
後部から前部に観測者の方に向かって、有機発光ダイオードを用いるマルチカラーバックライトユニットと、画素によるバックライティングの切り換えのための電気光学アレイとを有し、該バックライトユニットは、互いに平行である異なるベース色の少なくとも３つの隣接照明ラインのグループの周期的パターンを有する表面である、カラーディスプレイ装置、の駆動方法であって、
前記スイッチングアレイの前記画素及び前記バックライトユニットの前記照明ラインは実質的に、何れの所与の画素も対応するベース色のみの前方透過を制御することが可能であるようにアライメントされ、
全ての前記照明ラインは同時に一緒にオンに切り換えられ、前記観測者への表示色は前記電気光学スイッチングアレイにより制御され、
前記前部の方に方向付けられ且つ対応するベース色のためのスイッチングアレイを通る実質的に平行なエッジを有する光ビームを形成するように、前記バックライトユニット上に各照明ラインに沿ってシリンドリカルレンズが備えられ、該シリンドリカルレンズは前記照明ラインの長さに実質的に等しい長さを有し、
前記有機発光ダイオードは、前記前部の方に、生成された光が透過する第１種類の透過性又は半透過性電極と、前記後部の方に、第２種類の電極と、を有し、それらの種類の電極は陽極及び陰極に対応し、ライン電極と呼ばれる、同じベース色の前記照明ラインの２つの前記種類のうちの一方の種類の電極は共に接続され、且つ対応するベース色のための少なくとも１つの色制御接続に接続され、全ての照明ラインの他方の種類の電極は、共に接続されて共通電極を構成し、且つ少なくとも１つの共通制御接続に接続され、且つ
少なくとも１つのバックライトユニットの前記グループの前記３つの照明ラインは、光結合により白色が観測者のために生成されることを可能にし、そして、ホワイトバランスは、前記グループの前記照明ラインにより同時に生成される前記異なるベース色のそれぞれの発光強度を制御することにより調節される、
ことを特徴とする駆動方法。
【請求項９】
前記異なるベース色のそれぞれの発光強度を制御することは、異なる対応するベース色のための異なる前記色制御接続を通る電力をバランスさせることにより行われる、請求項８に記載の駆動方法。
【発明の詳細な説明】
【技術分野】
【０００１】
本発明は、有機発光ダイオードを用いるバックライトユニットを有するカラーディスプレイ装置及び該ディスプレイ装置を実施する方法に関する。本発明は、１つ又はそれ以上の光源で発生した光ビームが、光の表示を制御するように、画素により光学的に切り換えられる、電気的に又は電子的に制御されるディスプレイの分野におけるアプリケーションを有する。
【背景技術】
【０００２】
電気光学スイッチングアレイ（又は、電気光学モジュール；同じ意味を有する）を実施するディスプレイであって、特に、液晶ディスプレイ（ＬＣＤ）は飛躍的な発展を遂げている。ＬＣＤが、どのような環境光の状況にあろうと、用いられることを可能にするように、電気光学スイッチングアレイが機能する光源が必要である。このような理由のために、カラーＬＣＤディスプレイの場合、光源は、１つ又はそれ以上の冷陰極点灯管を有する後部（ディスプレイの前にいる観測者に対して）からＬＣＤスイッチングアレイを照明するために提案されたものである。それらのＬＣＤスイッチングアレイの実施が複雑であることは別として、それらの動作に必要な高電圧及び均一な光分布を有する必要性のために、それらのＬＣＤスイッチングアレイは脆弱であり、寿命が短く（それらの特性は時間の経過と共に劣化する）及び多くの電力を消費する。更に、それらは白色光を生成することによりディスプレイの可視光スペクトルの全体を再生するためには、付加的な光フィルタ装置が必要である。
【０００３】
それ故、バックライトを発生するための他の技術が要請されてきた。そこで、発光ダイオードを用いた後、有機発光ダイオード（ＯＬＥＤ）の実施が提案された。後者の技術は、三原色、即ち、赤色、緑色及び青色（ＲＧＢ）が個別に生成されるようにし、冷陰極点灯管の技術とは対照的であり、ＬＣＤ電気光学スイッチングアレイの後部において直接、実施されることができ、そのようなディスプレイのデザインを簡単化することが可能である。
【０００４】
しかしながら、この技術は、尚も、幾つかの制限条件を有する。実際には、既知のＯＬＥＤを用いるバックライト装置においては、３つのＲＧＢの光源は重畳されて（重なり合わされて）いて、それ故、そのことにより、それらは時間経過と共に連続的に切り換えられる必要がある。観測者の網膜における残像において、選択された色が再結合され、可視スペクトルが再生されることを可能にしている。連続的に電力を高くするために、スイッチングによる損失がもたらされる。ＯＬＥＤを構成する材料の層は非常に薄いことのために、切り換えられる容量が大きくなるにつれ、それらのスイッチングによる損失は益々大きくなり重大である。光源の重畳はまた、発光強度の損失に繋がる。
【０００５】
代替方法として、米国特許第６，１１１，５６０号明細書において、線形光源の列の実施であって、各々の列は、ＬＣＤスイッチングアレイの幾つかの列が光源の１つの照明ラインにより発生される光に作用するような幅を有する、実施が提案された。また、米国特許第５，７９６，５０９号明細書においては、ＬＣＤタイプの空間光学変調器と組み合わされた有機発光ダイオードを用いる照明手段の実施が提案された。その特許文献においては、ＯＬＥＤが白色光を生成し、カラーフィルタが用いられる又はカラーＯＬＥＤが用いられるカラーディスプレイについて記載されている。
【０００６】
他の特許文献、即ち、米国特許出願公開第２００３／００３０３７１号明細書及び国際公開第９９／６６４８３号パンフレットにおいて、このバックライト技術を備えたカラーディスプレイ装置について記載されている。
【特許文献１】米国特許第６，１１１，５６０号明細書
【特許文献２】米国特許第５，７９６，５０９号明細書
【特許文献３】米国特許出願公開第２００３／００３０３７１号明細書
【特許文献２】国際公開第９９／６６４８３号パンフレット
【発明の開示】
【課題を解決するための手段】
【０００７】
上記の幾つかの解決方法は尚も、特に、光再生の精度又は実施の複雑さに関する制限条件を有し、特に、本発明はそのような問題点を解決するために提案されている。それ故、本発明の主題は、後部から前部に観測者の方に向かって、有機発光ダイオード（ＯＬＥＤ）を用いるマルチカラーバックライトユニットと、画素によるバックライティングの切り換えのための電気光学スイッチングアレイとを有するカラーディスプレイ装置であって、バックライトユニットは、互いに平行である異なるベース色の少なくとも３つの隣接する照明ラインの群の周期的パターンを有する表面である、カラーディスプレイ装置である。
【０００８】
本発明にしたがって、スイッチングアレイの画素及びバックライトユニットの照明ラインは、所定の画素が対応するベース色のみの前方透過を制御することを可能にするように、実質的にアライメントされ、シリンドリカルレンズが、対応するベース色のためのスイッチングアレイを透過し、前部の方に方向付けられている実質的に平行なエッジを有する光ビームを生成するように、バックライトユニットにおける各々の照明ラインに沿って配置されている。
【発明が解決しようとする課題】
【０００９】
本発明の複数の実施形態において、技術的に考えられる組み合わせの全てにしたがって又は単独で用いられる次のような手段が採用される。
−  電気光学スイッチングアレイは、前部及び観測者の方に向かって、実質的に平面の分散要素を有し、その分散要素及び、実質的に平面である、バックライトユニットのラインを有する表面は、前記レンズを透過して光学的に結合されている。
−  シリンドリカルレンズは、前部及びスイッチングアレイの方に方向付けられた凸状側を有する。
−  シリンドリカルレンズは、照明ラインからの照明が他のラインの画素と干渉しないように、光分離器によりその長手方向に沿って互いから横方向に分離されている。
−  光分離器は、照明ラインに対応するシリンドリカルレンズに当たらない照明ラインからの光を吸収するようにデザインされた光吸収体である。
−  シリンドリカルレンズは、電気光学スイッチングアレイに直接、備えられている。
−  シリンドリカルレンズは、電気光学スイッチングアレイから空気の空間により分離されている。
−  シリンドリカルレンズは、ポリメチルメタルリレート（ＰＭＭＡ）、ポリカーボネート又はポリアクリル酸樹脂のようなプラスチック材料から成る。
−  電気光学スイッチングアレイは液晶（ＬＣＤ）タイプである。
−  電気光学スイッチングアレイはマイクロメカニカル（ＭＥＭＳ）タイプである。
−  バックライトユニットは、共通陽極と共通陰極との間で選択されるタイプであり、好適には、共通陰極タイプである。
−  有機発光ダイオード（ＯＬＥＤ）は、前部の方に、生成された光が透過する第１種類の透過性又は半透過性電極と、後部の方に、第２種類の電極とを有し、それらの第１種類及び第２種類の電極は陽極及び陰極に対応し、ライン電極と呼ばれる、同じベース色の照明ラインのそれらの種類の一の電極は、対応するベース色のために少なくとも１つの色制御接続に共に接続され、照明ラインの全てについての他の種類の電極は共に、共通電極を構成するように、少なくとも１つの共通接続に接続されている（それらのライン電極は、好適には、そのユニットの端部に沿って接続され、制御又は共通接続はディスプレイの１つのコネクタに対応している）。
−  同じベース色のためのライン電極は、そのベース色の照明ラインの１つの端部のみに、共に接続されている（好適には、バックライトユニットの端縁に沿っていて、３つの色については、２つの色はそれらの照明ラインの１つの端部に、第３の色は他の端部に）。
−  ディスプレイ装置は、ベース色当たり少なくとも一対の色制御接続を有し、その対の第１接続は対応するベース色のライン電極の第１端部にあり、その対の第２接続は対応するベース色の同じライン電極の第２端部にあり、第２端部は、照明ラインに沿って第１端部に対向していて、同じベース色のライン電極は共に、照明ラインの２つの端部の各々に接続されている（好適には、ユニットの１つの端部に沿って）。
−  同じベース色のライン電極は共に、そのベース色の照明ラインの２つの対向する端部に接続されている（バックライトユニットの２つの対向する端部の端縁に沿って）。
−  透明な又は半透明な電極はＩＴＯ（Ｉｎｄｉｕｍ−Ｔｉｎ  Ｏｘｉｄｅ）の層を有する。
−  透明な又は半透明な電極はクロム層を有する（ＩＴＯの低導電性を克服するように）。
−  バックライトユニットの後部における電極は、アルミニウム、銀、金、クロム又はマグネシウムから選択された金属の堆積物から得られる。
−  電気光学スイッチングアレイの画素は列においてアライメントされていて、それらの列は照明ラインに対して平行である。
−  バックライトユニットについては、照明ラインの幅は約１２．５ｍｍである。
−  シリンドリカルレンズについては、それらのレンズの最大厚さにおける厚さは約０．２ｍｍであり、その曲率半径は−０．０８８３９５ｍｍであり、コニシティ−は０．２０５６であり、光吸収体は、照明ラインの前方発光の正中面に関して約＋／−１４°の円錐の外側の照明ラインにより発光される横方向の光線を吸収するようになっている。
−  液晶タイプのスイッチングアレイについては、画素の幅は約０．１ｍｍであり、その液晶は、各々、幅が約０．７ｍｍである２つのプレート間に保持されている。
−  群は３つの照明ラインを有し、それらの３つのベース色は青色、緑色及び赤色である。
【００１０】
他の本発明の主題は、カラーディスプレイ装置の実施のための方法であって、後部から前部に観測者の方に向かって、有機発光ダイオード（ＯＬＥＤ）を用いるマルチカラーバックライトユニット及び画素によりバックライトを切り換えるための電気光学アレイを有し、そのバックライトユニットは、互いに平行である異なるベース色の少なくとも３つの隣接する照明ラインの群の周期的パターンを有する表面であり、その方法において、上記の特徴の１つ又はそれ以上にしたがった装置が実施され、スイッチングアレイの画素及びバックライトユニットの照明ラインは、所定の画素が対応するベース色のみの前方透過を制御されるように、及び照明ライン全てが実質的に同時にオンに切り換えられるように、実質的にアライメントされ、観測者のための表示カラーは電気光学スイッチングアレイにより制御される、方法である。
【００１１】
種々の動作モードにしたがって、上記の方法は、次の特徴の１つ又はそれ以上を有するとみなされる。
−  シリンドリカルレンズは、対応するベース色についてスイッチングアレイを透過し且つ前部の方に方向付けられた実質的に平行な端部を有する光ビームを生成するように、バックライトユニットにおいて各々の照明ラインに沿って配置され、それらのレンズは、照明ラインの長さに実質的に等しい長さを有する。
−  有機発光ダイオード（ＰＬＥＤ）であって、前部の方に、生成された光が透過する第１種類の透過性又は半透過性電極と、後部の方に、第２種類の電極とを有し、それらの第１種類及び第２種類の電極は陽極及び陰極に対応し、ライン電極と呼ばれる、同じベース色の照明ラインのそれらの種類の一の電極は、対応するベース色のために少なくとも１つの色制御接続に共に接続され、照明ラインの全てについての他の種類の電極は共に、共通電極を構成するように、少なくとも１つの共通接続に接続されている、有機発光ダイオード（ＰＬＥＤ）が実施される。
−  アクティブマトリクス電気光学スイッチングアレイが実施される。
−  その群の少なくとも３つの照明ラインは、白色が光の組み合わせにより観測者のために生成されることを可能にし、ホワイトバランスは、照明ラインにより同時に生成されたベース色のそれぞれの発光強度を少なくとも制御することにより調節される。
−  ホワイトバランスは、電気光学スイッチングアレイの画素を透過する光の量を制御することにより調節される。
−  ホワイトバランスは、照明ラインにより生成されたベース色のそれぞれの発光強度を制御することにより及び電気光学スイッチングアレイの画素を透過する光の量を制御することにより調節される。
【００１２】
他の有利点においては、本発明は、ホワイトバランスの比較的簡単な調節を可能にし、電気光学スイッチングアレイのカラーフィルタアップストリーム（又は、ダウンストリーム）の実施の必要性を回避する。
【００１３】
本発明について、以下、図を参照して詳述して例示するが、それは、本発明を限定するものではない。
【発明を実施するための最良の形態】
【００１４】
有機発光ダイオードを用いるバックライトユニット１は、電流の作用により光を生成するようにデザインされている材料の層から構成される、実質的に平面状且つ正方形状又は長方形状である。そのようなユニットの製造には、ＯＬＥＤのための従来の製造技術を用いることができる。例示として、ＯＬＥＤは、第１電極を備える基板と、その基板状には、第２電極層によりそれ自体が覆われた有機発光材料層とを有する。電気光学的変換を促進するように、有機発光材料層に副層を組み込むことができる。製造モードに応じて、ＯＬＥＤ発光は、後部から（基板を透過して）又は前部から（第２電極を透過して）起こる。更に、電極、陽極又は陰極の種類に応じて、陽極は前部に置かれ、又は後部に置かれる。ＯＬＥＤにより生成される光に対して透過性でなければならない、従来は陽極である、電極は、一般に、ＩＴＯ（Ｉｎｄｉｕｍ−Ｔｉｎ  Ｏｘｉｄｅ）薄膜であり、そのＩＴＯ薄膜の電気的特性を改善すること、特に、クロムの堆積によりシート抵抗の減少が可能である。
【００１５】
図１に模式的に示す本発明のバックライトユニットは、前方発光タイプ且つ後部の共通陰極を有するものであるが、特別な構成、即ち、互いに平行であるＯＬＥＤの３つの隣接発光ラインの基本パターンの一定周期の繰り返しであって、そのユニットの実質的に顕微鏡的に平面状の表面に、各々のラインはベース色、即ち、赤色２、緑色３及び青色４を有するものである。基本パターンのベース色ラインの各々は、ユニットの少なくとも一の面にそれら自体の電極、ここでは、ライン電極を構成する前面電極を有し、ユニットの他の面は、照明ライン全てに共通な電極、ここでは、背面の共通陰極１１を有する。
【００１６】
ライン電極と呼ばれる、同じベース色の種々のラインの電極、ここでは、前面電極は、ユニット１の一端部に沿って、リンク５において赤色について、リンク６において緑色について及びリンク７において青色について、一緒に連結されている。それらのリンクの各々は、色制御接続又は接続ピン（考慮されているベース色について）８、９及び１０それぞれに接続されていて、それらの接続ピンは外部の電気的照明制御回路（図示せず）に接続されるようにデザインされている。同じベース色のＯＬＥＤラインの全てを、それ故、オンに切り換えることができる。バックライトユニットの実施のための好適な方法においては、全ＯＬＥＤライン、換言すれば、３つのベース色を共にまた、同時にオンに切り換えることができる。３つのベース色、それ故、３つのリンク５、６、７が存在する場合、前記リンクは照明ラインのどれかの端部であって、１つのリンクは一の端部に及び２つのリンクは、他の端部に分配される。そのような配置は、３つのリンクが同じ側にある配置に比べて、１つの絶縁層のみが２つのリンク間に必要であることから、リンクの形成を簡単化する。
【００１７】
一変形においては、回路抵抗を低減するように、照明ラインの両方の端部において電極に電力供給するように及び改善された発光の均一性を有するように、それぞれの接続／接続ピンを用いて両方の端部に、３つのリンクを形成することができる。実際には、それらの電極は、ＯＬＥＤにおいて生成される光を透過するように薄くする必要があり、それは照明ラインに沿って高抵抗及び高電圧降下に繋がり、接続された端部に対して、接続されていない照明ラインの端部に向かって発光の低下をもたらす。それ故、その装置は、ベース色当たり一対の陽極制御接続を有し、その対の第１接続は対応するベース色の照明ラインの第１端部にあり、そして、その対の第２接続は対応するベース色の照明ラインの第２端部にあり、第２端部は第１端部の反対側であり、同じベース色の複数の照明ラインの陽極が、該照明ラインの各々の端部にて一緒に接続されている。
【００１８】
上記のようなユニットにおいては、細長いシリンドリカルレンズ１２のアレイであって、照明ライン２、３、４毎に１つのレンズが備えられ、それらは、本発明にしたがったディスプレイの動作について模式的に示している図２においてより明確に示されている。レンズの凸状面は、照明ラインから遠い上方に方向付けられている。各々のレンズは、実質的に平行な側面を有する所与のベース色の光ビームを前方に生成するようにデザインされている。
【００１９】
光分離器１３は、照明ラインからの照明が他の照明ラインからの照明と干渉しないように、それらの共通の横方向の端部に沿って（及びバックライトユニットの端部に沿って）、それらのレンズ間に備えられている。好適には、光分離器は、照明ラインに対応する細長いシリンドリカルレンズに当たらない照明ラインからの光を吸収するようにデザインされている光吸収体である。
【００２０】
ここで、細長いシリンドリカルレンズの効果について、バックライトユニット１がディスプレイ内で、液晶（ＬＣＤ）タイプの画素の電気光学スイッチングアレイ１５の後ろに備えられている図２に関連して説明する。簡単化のために、３つのベース色、即ち、赤色、緑色及び青色の１つの基本パターンの３つの照明ライン並びに横断面の平面における光線の構成が示されている。照明ライン２、３、４、シリンドリカルレンズ１２及びＬＣＤスイッチングアレイ１５の画素は、所与の画素が所与のベース色のみを制御するようにアライメントされている。ＯＬＥＤ照明ラインにより生成される全ての光線のうち、シリンドリカルレンズに達する光線のみが、パターン１６（画素及び照明ラインの制御の状態に応じて、可視的又は可視的でない）を形成するように、前方に、ＬＣＤスイッチングアレイの画素を透過する実質的に平行なエッジを有する光ビーム１４の形で透過される。好適には、シリンドリカルレンズは、ＬＣＤスイッチングアレイの背面に直接には備えられず、シリンドリカルレンズの出口において光線の適切な曲率を可能にする光学指標を有する空気の空間を残すようにされる。目的が最適な精細度である変形においては、３つのベース色について同じ光学的効果を有するように、それ故、そうでないと起こる可能性のあるそれらの色の如何なる非点収差をも回避するように、対応するシリンドリカルレンズの計算にベース色の波長を考慮することができる。
【００２１】
また、図２に関連して、電気光学スイッチングアレイの画素は、バックライトユニットの照明ラインに対して平行な列状にアライメントされており、ベース色の各々の光ビーム１４が光スイッチングアレイの単一の列の画素のみに関連することに留意する必要がある。照明ライン上に各々１つ備えられて、スイッチングアレイを通る実質的に平行なエッジを有するビームが生成されることを可能にするシリンドリカルレンズにより、一列の画素は、バックライトユニットの対応するラインにより生成される対応するベース色のみに作用することができる。それ故、ケーラー（Ｋｏｈｌｅｒ）照明システムと同等のシステムが形成され、この場合、１つのシリンドリカルレンズにより収集される所与のベース色の光全てがスイッチングアレイの対応する画素の列のみを透過し、他の画素の列に漏れない。
【００２２】
本発明にしたがった代表的なディスプレイにおいては、照明ラインの幅はバックライトユニットのために約１２．５μｍであり、細長いシリンドリカルレンズにおいては、レンズの最大厚さが約０．２ｍｍであり、曲率半径は−０．０８８３９５ｍｍであり、コニシティは−０．２０５６である。光吸収体は、前方方向に照明ラインの中央の発光面に対して約＋／−１４°の円錐の外側の照明ラインにより横方向に発光される横方向の光線を吸収するようになっている。また、液晶タイプのスイッチングアレイは約０．１ｍｍの画素幅を有し、液晶は２つのガラスプレート間に保持され、各々のガラスプレートは０．７ｍｍの厚さであり、それらのガラスプレートには、交差した偏光子及び検光子を構成する偏光層が、液晶層に対して対向する表面に堆積されている。好適には、ガラスプレートの一は、各々の画素又は液晶セルにメモリ効果を与えるアクティブマトリクスを組み込んでいる。このために、このようなガラスプレートは、例えば、アモルファスシリコンをコーティングされた領域であって、各々の画素のために、それ自体既知であり、メモリ効果を得るようにデザインされている画素回路がエッチングされている、領域を有する。
【００２３】
シリンドリカルレンズ及び光分離器は照明ラインに対して横方向（垂直方向）に生成される光線に基づいて機能する一方、照明ラインの標準的な中央の平面に含まれる方向において生成される光線について、生成された光は制御される必要がなく、垂直方向から最大＋／−９０°までの何れの光を用いることができることに留意する必要がある。
【００２４】
上記のように、動作中、照明ライン全ては、換言すれば、３つのベース色は、好適にオンに切り換えられる一方、しかしながら、適切な（ホワイトバランスが適切である）品質の白色を得るように、各々のベース色のレベルが調節される。
【００２５】
目的が、バックライトユニットの全表面に亘って適切な白色均一性を得ることである一変形においては、そのユニットの表面は、領域当たり少なくとも３つの接続ピンを有し、隣接する３つのベース色の基本パターンの特定数を囲む３つのベース色の個別の制御領域に分割される。
【００２６】
上記の幾つかの実施形態は全く例示としてのものであり、当業者は、本発明の範囲から逸脱することなく、他の実施形態を構成することが可能であることが理解できるでえあろう。特に、バックライトユニットは、統合され、且つ、特に、そのユニットがシリアル又はパラレルリンクにより制御されるようになっている電気制御回路を付加的に有することが可能である。最も簡単な場合、制御はアナログ的であることが可能である。電気論理回路（又は、マイクロプロセッサ）がバックライトユニットに統合されることにより実施される場合、制御はデジタル的であることが可能である。また、更に洗練されたバージョンの場合、閉ループ制御手段が考案され、その場合、１つ又はそれ以上の光センサは、必要に応じて、外部制御により修正されることが可能である所定レベルにバックライトユニットを維持するように、そのバックライトユニットの発光を測定する。
【図面の簡単な説明】
【００２７】
【図１】本発明にしたがった場くらいとユニットの模式的な平面図である。
【図２】液晶（ＬＣＤ）タイプのディスプレイにおけるバックライトユニットの動作を模式的に示す図である。
【図１】
0004806677.tif 000002
【図２】
0004806677.tif 000003